(57)【要約】【課題】接地短絡端子の端子カバーの密栓部材が作業中に不用意に脱落しないようにして、電線路の接地短絡作業の容易化および安全化を図ることのできる絶縁操作棒の先端構造を提供すること。【解決手段】特別高圧の電線路に予め設置されている接地短絡端子の端子カバーの開口部を閉塞する密栓部材を着脱する絶縁操作棒の先端取付具１０であって、端子カバーを内部に収装する円筒部１１と、この円筒部の内面１１ａに貼付されて内方に突出する突出形状部２１とを備えており、突出形状部は、円筒部の内面に貼付するシール部２２と、このシール部から突出して底面部１２側に向って湾曲することにより円筒部内を移動する密栓部材の円盤部材により撓まされる湾曲形状部２３とが一体に形成されている。【選択図】図１
2010119247.tif 000002
【特許請求の範囲】
【請求項１】
特別高圧の電線路に予め設置されている接地短絡端子の端子カバーの開口部を閉塞する密栓部材を前記端子カバーに着脱する絶縁操作棒の先端構造であって、
前記絶縁操作棒の先端に保持されている前記密栓部材が該絶縁操作棒の先端から離隔する方向に所定以下の力で移動することを制限する制限手段を備えることを特徴とする絶縁操作棒の先端構造。
【請求項２】
前記端子カバーは、前記接地短絡端子の電線路側ネジ端子部に螺合させる接地線端部の接地側ネジ端子部を内部に差し込んで螺合回転可能に前記開口部の開口する筒形状に形成される一方、
前記密栓部材は、前記端子カバーの前記開口部と略同一形状に形成されている密栓部と、前記密栓部の一面側から前記端子カバーの内部に向って延長されている延長部と、前記延長部の先端側に設けられて前記端子カバー内の電線路側ネジ端子部に螺合させる密栓側ネジ端子部と、を備えているのに対して、
前記絶縁操作棒の先端には、前記密栓側ネジ端子部の反対側の延長部を前記電線路側ネジ端子部に該密栓側ネジ端子部を螺合回転可能に保持する保持手段を有する一方、
前記制限手段は、前記密栓部材の前記端子カバーへの着脱時に前記密栓部の移動する空間領域を内部空間とする筒形状部と、前記密栓部材の前記端子カバーへの着脱時に移動する前記密栓部の移動範囲の途中の前記筒形状部の内面に設けられて該密栓部の外縁よりも内方に先端部が位置するように形成されている突出形状部と、を備えることを特徴とする請求項１に記載の絶縁操作棒の先端構造。
【請求項３】
前記制限手段の前記突出形状部は、前記端子カバーから離脱する前記密栓部材の移動方向に傾斜する形状で前記密栓部の外縁の延在方向に連続するように形成されていることを特徴とする請求項２に記載の絶縁操作棒の先端構造。
【請求項４】
前記制限手段の前記筒形状部は、内部を視認可能に透明な材料により作製されていることを特徴とする請求項２または３に記載の絶縁操作棒の先端構造。
【請求項５】
特別高圧の電線路に予め設置されている接地短絡端子の端子カバーの開口部を閉塞する密栓部材を前記端子カバーに着脱する絶縁操作棒の先端取付具であって、
上記請求項１から４の何れか一つに記載の絶縁操作棒の先端構造における前記制限手段を備えると共に、該制限手段を当該絶縁操作棒の先端にワンタッチで着脱する着脱手段を有することを特徴とする絶縁操作棒の先端取付具。
【発明の詳細な説明】
【技術分野】
【０００１】
本発明は、絶縁操作棒の先端構造およびその先端取付具に関し、詳しくは、２２ｋＶの特別高圧の電線路に予め設置されている接地短絡端子の端子カバーの開口部を閉塞する密栓部材を作業中に脱落させてしまうことをなくして、その電線路の接地短絡作業を容易化・安全化することのできるものに関する。
【背景技術】
【０００２】
受電設備や電線路などに対して各種作業を行なう際には、安全性を確保するために接地線を接続して短絡させることが行なわれており、それぞれの接続ポイントに応じた各種の接地短絡用具が提案されている（例えば、特許文献１〜４参照）。
【０００３】
この種の接地短絡用具としては、６ｋＶの３相電線路を接地短絡させる場合には、その都度、外被を剥がして電線路の芯線（導通線）に接地線を導通接続して短絡させることが行われている。この場合には、外被を剥がした箇所をテープ巻きなどして絶縁性を確保している。
【特許文献１】実開平７−７０７６号公報
【特許文献２】特開２００２−１５２９３５号公報
【特許文献３】実開平５−６０１１９号公報
【特許文献４】特開２００１−１５７３３３号公報
【発明の開示】
【発明が解決しようとする課題】
【０００４】
このような接地短絡用具にあっては、２２ｋＶの特別高圧電線路を接地短絡する場合には、特別高圧であることから６ｋＶの電線路と同様に処理して絶縁性を確保することはできない。このため、このような特別高圧の電線路には、図６に示すように、予め電線路１００の導通線１００ｂに絶縁性を確保可能な接地短絡端子１１０の雌ネジ端子部１１３を導通接続させておくことが行われている。この接地短絡端子１１０では、雌ネジ端子部１１３に接地線を導通接続することにより接地短絡することができ、その後には、その接地線を外して元に戻すことにより絶縁性を確保することができる。
【０００５】
具体的には、例えば、３相の電線路を接地短絡する場合には、図８に示すように、電線路１００側の雌ネジ端子部１１３に接続可能な雄ネジ端子部２１１が端部に設けられている３本の分岐接地線２１０と、この分岐接地線２１０を集合させて端部にクリップなどの接地金具２２１が設けられている集合接地線２２０とを有する接地線２００を準備する。また、先端に着脱ソケット１８０を取り付けた絶縁操作棒１５０（図３参照）を用いて、１本目の分岐接地線２１０の雄ネジ端子部２１１の六角ネジ部２１１ａをその着脱ソケット１８０に差込保持させた状態のまま、１線目の電線路１００の雌ネジ端子部１１３に対して螺合回転させて接続させる。この後に、同様に、絶縁操作棒１５０の着脱ソケット１８０に２本、３本目の分岐接地線２１０の雄ネジ端子部２１１を順次に差込保持させて２線目、３線目の電線路１００の雌ネジ端子部１１３に接続させる作業を行う。なお、図８中における２２１ａは、接地金具２２１に導通接続されてネジ止め可能にネジ穴の開口するプレートである。
【０００６】
この接地短絡端子１１０は、接地線２００（分岐接地線２１０）を外した雌ネジ端子部１１３が外部に露出しないように、その雌ネジ端子部１１３を端子カバー１１７内に内装するとともに、その端子カバー１１７の開口部を密栓部材１２１の円盤部材１２４により閉塞するようになっている。
【０００７】
この密栓部材１２１は、接地線２００の雄ネジ端子部２１１と同様に、六角ネジ部１２５を絶縁操作棒１５０先端の着脱ソケット１８０に差込保持させた状態にして棒状部材（延長部）１２３の先端の雄ネジ端子部１２２を接地短絡端子１１０の雌ネジ端子部１１３に螺合させて取り付ける構造になっている。
【０００８】
このことから、接地短絡端子１１０を利用して電線路１００の接地短絡作業を行う場合には、その都度、絶縁操作棒１５０先端の着脱ソケット１８０に六角ネジ部１２５を差し込んだだけの状態の密栓部材１２１を、その絶縁操作棒１５０の先端から突出する姿勢のまま高所の電線路１００付近に接近させて雌ネジ端子部１１３に回転接続する作業を行ったり、その雌ネジ端子部１１３から外して回収する作業を行う必要がある。
【０００９】
このため、密栓部材１２１は、六角ネジ部１２５が着脱ソケット１８０から容易に離脱してしまう不安定な状態で絶縁操作棒１５０の先端に保持されていることから、六角ネジ部１２５の着脱ソケット１８０への差込が浅いと不用意に落下させてしまう可能性がある。また、この密栓部材１２１は、絶縁操作棒１５０の先端を不注意で下げてしまっても、同様に落下させてしまう可能性がある。よって、この密栓部材１２１を接地短絡端子１１０に着脱する作業には細心の注意が必要になっている。
【００１０】
そこで、本発明は、電線路に予め設置されている接地短絡端子の端子カバーの開口部を閉塞する密栓部材が不用意に脱落しないようにして、電線路の接地短絡作業の容易化および安全化を図ることのできる絶縁操作棒の先端構造を提供することを目的とする。
【課題を解決するための手段】
【００１１】
上記課題を解決する絶縁操作棒の先端構造の第１の発明は、特別高圧の電線路に予め設置されている接地短絡端子の端子カバーの開口部を閉塞する密栓部材を前記端子カバーに着脱する絶縁操作棒の先端構造であって、前記絶縁操作棒の先端に保持されている前記密栓部材が該絶縁操作棒の先端から離隔する方向に所定以下の力で移動することを制限する制限手段を備えることを特徴とするものである。
【００１２】
この発明では、絶縁操作棒の先端から密栓部材を所定以上の力で外す作業を行わない限り、その密栓部材が絶縁操作棒の先端から離隔方向に移動して脱落してしまうことはない。したがって、電線路の接地短絡作業中に密栓部材が絶縁操作棒の先端から不用意に落下してしまうことをなくすことができる。
【００１３】
上記課題を解決する絶縁操作棒の先端構造の第２の発明は、上記第１の発明の特定事項に加え、前記端子カバーは、前記接地短絡端子の電線路側ネジ端子部に螺合させる接地線端部の接地側ネジ端子部を内部に差し込んで螺合回転可能に前記開口部の開口する筒形状に形成される一方、前記密栓部材は、前記端子カバーの前記開口部と略同一形状に形成されている密栓部と、前記密栓部の一面側から前記端子カバーの内部に向って延長されている延長部と、前記延長部の先端側に設けられて前記端子カバー内の電線路側ネジ端子部に螺合させる密栓側ネジ端子部と、を備えているのに対して、前記絶縁操作棒の先端には、前記密栓側ネジ端子部の反対側の延長部を前記電線路側ネジ端子部に該密栓側ネジ端子部を螺合回転可能に保持する保持手段を有する一方、前記制限手段は、前記密栓部材の前記端子カバーへの着脱時に前記密栓部の移動する空間領域を内部空間とする筒形状部と、前記密栓部材の前記端子カバーへの着脱時に移動する前記密栓部の移動範囲の途中の前記筒形状部の内面に設けられて該密栓部の外縁よりも内方に先端部が位置するように形成されている突出形状部と、を備えることを特徴とするものである。
【００１４】
この発明では、密栓部材は、接地短絡端子の筒形状の端子カバー内の電線路側ネジ端子部に延長部先端の密栓側ネジ端子部を螺合させてその端子カバーの開口部を略同一形状の密栓部で閉塞する状態に取り付けられる。この密栓部材は、絶縁操作棒の先端に密栓側ネジ端子部の反対側の延長部が保持されるのと同時に、密栓部が筒形状部内に収装させることにより、その密栓部の周縁が筒形状部の内面から突出する突出形状部を乗り越えて奥へと収装される。したがって、筒形状部の内面に突出形状部を形成するだけの簡易な構造により、密栓部の周縁がその突出形状部を乗り越えるように絶縁操作棒を操作しない限り、密栓部材が絶縁操作棒の先端から離隔方向に移動して脱落してしまうことを制限することを実現することができる。
【００１５】
上記課題を解決する絶縁操作棒の先端構造の第３の発明は、上記第２の発明の特定事項に加え、前記制限手段の前記突出形状部は、前記端子カバーから離脱する前記密栓部材の移動方向に傾斜する形状で前記密栓部の外縁の延在方向に連続するように形成されていることを特徴とするものである。
【００１６】
この発明では、密栓部材が筒形状部内に収装される方向に移動する際には、突出形状部は傾斜方向に一致するその移動方向に密栓部の周縁により変形されてその移動を制限する力は小さい。反対に、その密栓部が筒形状部内から離脱する方向に移動する際には、突出形状部はその密栓部の周縁に突き当たって変形し難いことからその移動を制限する力は反対向きの場合よりも大きい。また、この突出形状部は、筒形状部の内面で密栓部の周縁の延在方向に連続する形状であることから、隣接位置の強度によりその形状を維持することができ、移動方向に応じてその移動を制限する力に差を付け易い。したがって、より簡易な構造で、密栓部材が絶縁操作棒の先端から離隔方向に移動して脱落してしまうことをより確実に制限することができる。
【００１７】
上記課題を解決する絶縁操作棒の先端構造の第４の発明は、上記第２または第３の発明の特定事項に加え、前記制限手段の前記筒形状部は、内部を視認可能に透明な材料により作製されていることを特徴とするものである。
【００１８】
この発明では、筒形状部内に収装した密栓部材の位置を視認することができ、密栓部が絶縁操作棒の先端から離隔する方向に移動することを突出形状部により制限される位置まで収装されているか否かを遠隔位置からでも容易に確認することができる。したがって、密栓部材を接地短絡端子に着脱する作業をより容易かつ確実に行うことができる。
【００１９】
上記課題を解決する絶縁操作棒の先端取付具の第１の発明は、特別高圧の電線路に予め設置されている接地短絡端子の端子カバーの開口部を閉塞する密栓部材を前記端子カバーに着脱する絶縁操作棒の先端取付具であって、上記絶縁操作棒の先端構造の第１から第４の発明の何れか一つにおける前記制限手段を備えると共に、該制限手段を当該絶縁操作棒の先端にワンタッチで着脱する着脱手段を有することを特徴とするものである。
【００２０】
この発明では、既製の絶縁操作棒の先端に容易に着脱することができる。したがって、絶縁操作棒を他の作業と共用することができ、高コストになることを回避しつつ、接地短絡作業を容易化するとともに安全性を向上させることができる。
【発明の効果】
【００２１】
このように本発明によれば、絶縁操作棒の先端から所定以上の力で密栓部材を外す作業を行わない限り、その密栓部材が脱落してしまうことはなく、電線路の接地短絡作業中に密栓部材が不用意・不注意で落下してしまうことをなくすことができる。したがって、接地短絡作業を容易化するとともに安全性を向上させることができる。
【発明を実施するための最良の形態】
【００２２】
以下、図面を参照して、本発明の実施形態について詳細に説明する。図１〜図５は本発明に係る絶縁操作棒の先端構造を実現する先端取付具の一実施形態を示す図である。
【００２３】
図１において、先端取付具１０は、図６に示す２２ｋＶ特別高圧の電線路１００の接地短絡端子１１０に密栓部材１２１を着脱する際に、図３に示す絶縁操作棒１５０の先端の着脱ソケット１８０と共に取り付けて利用する補助具である。
【００２４】
まず、電線路１００に予め設置されている接地短絡用の接地短絡端子１１０を説明する。接地短絡端子１１０は、図６および図７に示すように、Ｔ字形状に形成されて電線路１００に導通接続させる接続端子金具１１１と、この接続端子金具１１１を内装可能に内部にＴ字形状の空間を形成する外装カバー１１５と、接続端子金具１１１に接続保持させて外装カバー１１５における端子カバー１１７の下部側開口部１１７ａを閉塞状態にする密栓部材１２１と、を備えている。
【００２５】
接続端子金具１１１は、電線路１００の外被１００ａを剥がされた状態の導通線１００ｂをスリット１１２ａから内装させるように被せて圧着接続することにより導通接続されるストレート部１１２と、このストレート部１１２の中央部に連設されている雌ネジ端子部（電線路側ネジ端子部）１１３と、を備えている。この接続端子金具１１１は、電線路１００の導通線１００ｂにストレート部１１２を導通接続させた状態で雌ネジ端子部１１３に接地線２００を導通接続させることにより電線路１００の接地短絡を可能にしている。
【００２６】
外装カバー１１５は、絶縁性を有する樹脂材料により作製されて接続端子金具１１１のストレート部１１２が導通接続された箇所の電線路１００の挿通空間を形成する電線カバー１１６と、接続端子金具１１１の雌ネジ端子部１１３を内部に位置させて接地線２００の端部を差し込んで導通接続させる空間を形成する円筒形状の端子カバー１１７と、を備えている。この外装カバー１１５は、電線カバー１１６の両端部を絶縁被覆１１８で覆うと共にその内部に絶縁樹脂材料１１９を充填することにより、端子カバー１１７を閉塞する密栓部材１２１と共に電線路１００の２２ｋＶ特別高圧の絶縁性を確保している。
【００２７】
密栓部材１２１は、接続端子金具１１１の雌ネジ端子部１１３に螺合させて固定可能な雄ネジ端子部（密栓側ネジ端子部）１２２と、この雄ネジ端子部１２２を先端側に相対回転不能に連設された絶縁材料からなる棒状部材（延長部）１２３と、この棒状部材１２３を中心で鉛直姿勢になるように保持するとともに端子カバー１１７の下部側開口部１１７ａを閉塞する絶縁材料からなる円盤部材（密栓部）１２４と、棒状部材１２３の端部に相対回転不能に連設された六角ネジ部１２５と、を備えている。この密栓部材１２１は、六角ネジ部１２５を回転道具などで回転させることにより棒状部材１２３を介して雄ネジ端子部１２２を接続端子金具１１１の雌ネジ端子部１１３に螺合させて端子カバー１１７の下部側開口部１１７ａを閉塞・開放するように着脱することができ、これにより電線路１００の接地短絡や絶縁確保を可能にしている。
【００２８】
次に、この密栓部材１２１を接地短絡端子１１０に着脱する際に用いる絶縁操作棒１５０を説明する。絶縁操作棒１５０は、２２ｋＶ特別高圧の電線路１００に対して絶縁性を確保する間接活線工法により遠隔位置から各種作業を行う際に利用する専用工具である。この絶縁操作棒１５０は、例えば、その先端に着脱ソケット１８０を取り付けることにより、電線路１００の接地短絡端子１１０に密栓部材１２１を着脱したり、図８に示す接地線２００を接断する接地短絡作業を行う際に共用することができる。
【００２９】
この絶縁操作棒１５０は、図３に示すように、大径の絶縁性を有する円筒材料からなる第１パイプ部１５１と、この第１パイプ部１５１内に内装可能な中径の絶縁性を有する円筒材料からなる第２パイプ部１５２と、この第２パイプ部１５２内に内装可能な小径の絶縁性を有する円筒材料からなる第３パイプ部１５３と、が伸縮可能に連結されている。この絶縁操作棒１５０は、第１パイプ部１５１と第２パイプ部１５２の先端部のそれぞれで開口する係合穴１５１ａ、１５２ａ内に、第２パイプ部１５２と第３パイプ部１５３の後端部のそれぞれに内蔵されて不図示のスプリングにより没入可能に突出する突起１５２ｂ、１５３ｂが嵌り込むことにより伸長状態を維持する一方、その突起１５２ｂ、１５３ｂを内部に押し込んで係合穴１５１ａ、１５２ａから離脱させることにより縮小状態にすることができる。なお、この絶縁操作棒１５０は、第１パイプ部１５１の先端側にリブ１５４を形成することにより、その第１パイプ部１５１を安全に作業を行い得る限界位置を示すグリップとして機能させて、作業する際の安全を確保している。
【００３０】
また、着脱ソケット１８０は、図４に示すように、概略筒形状に形成されることにより両端側に向って開口するとともにその中間を閉塞する底部が形成されており、一端側には、絶縁操作棒１５０の第３パイプ部１５３の先端を差込可能な開口形状の取付部１８１が形成される一方、他端側には、接地線２００の分岐接地線２１０先端の雄ネジ端子部２１１の六角ネジ部２１１ａや密栓部材１２１の六角ネジ部１２５を差込保持可能な開口形状の保持部１８２が形成されている。
【００３１】
この着脱ソケット１８０の取付部１８１は、絶縁操作棒１５０と同様に、その第３パイプ部１５３の先端部から没入可能に突出する突起１５３ｃが嵌り込む係合穴１８１ａが開口することにより、その絶縁操作棒１５０の先端に着脱することができる。
【００３２】
一方、着脱ソケット１８０の保持部１８２は、接地線２００の雄ネジ端子部２１１の六角ネジ部２１１ａや密栓部材１２１の六角ネジ部１２５の六角柱を相対回転不能に内装するソケット形状部１８２ａが先端面側に開口しており、そのソケット形状部１８２ａは、互いの軸方向を中心にする相対角度がずれても六角柱を相対回転不能に容易に内装して係止することのできるソケット形状に形成されている。すなわち、着脱ソケット１８０の保持部１８２のソケット形状部１８２ａが保持手段を構成している。
【００３３】
これにより、絶縁操作棒１５０は、先端に着脱ソケット１８０を取り付けて接地短絡端子１１０による電線路１００の接地短絡作業を行う場合には、その着脱ソケット１８０の保持部１８２のソケット形状部１８２ａ内に密栓部材１２１の六角ネジ部１２５や接地線２００の雄ネジ端子部２１１の六角ネジ部２１１ａを差し込んで回転させることができる。密栓部材１２１は、接地短絡端子１１０の雌ネジ端子部１１３に雄ネジ端子部１２２を着脱させることにより、円盤部材１２４により端子カバー１１７を開口・閉塞することができる。また、接地線２００は、接地短絡端子１１０の接続端子金具１１１の雌ネジ端子部１１３に雄ネジ端子部２１１を着脱させることにより、分岐接地線２１０を電線路１００に導通接続させたり、その電線路１００から取外すことができる。
【００３４】
そして、図１に戻って、先端取付具１０は、透明のアクリル樹脂材料などにより有底の円筒形状に作製されている円筒部（筒形状部）１１と、この円筒部１１の内面１１ａから内方に向って突出する状態でその周方向に延在するように貼付されている突出形状部２１と、を備えている。
【００３５】
円筒部１１は、接地短絡端子１１０の円筒形状に形成されている端子カバー１１７の概略全体を一端側開口から収装可能に、内面１１ａがその端子カバー１１７の外形よりも大き目の内径を有するように形成されており、図５に示すように、その端子カバー１１７を内部に収装することができるとともに、その密栓部材１２１の円盤部材１２４が同軸方向（着脱方向）に自由に移動することを許容する。
【００３６】
この円筒部１１の底面部１２には、着脱ソケット１８０の保持部１８２を差込可能に開口する取付部１３が一体成型されており、取付部１３は、肉厚の短尺円筒形状に形成されている。この取付部１３は、着脱ソケット１８０の保持部１８２を内装する内面１３ａから没入可能に突出部材１４の突起部１４ａがスプリング１５により背面側から付勢されて突出しており、絶縁操作棒１５０と同様に、その突起部１４ａが着脱ソケット１８０の保持部１８２の側面に開口する係合穴１８２ｂに嵌り込むことによりワンタッチで着脱することができるようになっている。すなわち、突出部材１４が先端取付具１０を絶縁操作棒１５０の先端に着脱ソケット１８０と共に着脱可能にする着脱手段を構成しており、この構成により、絶縁操作棒１５０を先端取付具１０の専用にすることなく、接地線２００の雄ネジ端子部２１１を接地短絡端子１１０の雌ネジ端子部１１３に螺合させて導通接続させて接地短絡させる作業時にも共用することを可能にしている。
【００３７】
突出形状部２１は、図２に示すように、円筒部１１の内面１１ａに貼付・固定されるシール部２２と、このシール部２２の中央付近から突出した後に円筒部１１の底面部１２側に向かって湾曲することによりその先端部２３ａが内方に位置する湾曲形状部２３と、を備えており、可撓性を有するゴム材料や樹脂材料などの弾性材料により一体成型されている。この突出形状部２１は、円筒部１１の内面１１ａの周方向に一周するように延在する状態に設けられている。なお、この突出形状部２１は、専用に押し出し成型などして作製することもできるが、湾曲形状部２３の円弧形状を延長して断面が半円形状になるとともに、シール部２２がその半円形状の両端部に連設されることにより、半円形状の弾性材料が畝形状に連続する材料、例えば、ドアの隙間を埋める材料などを切断することによっても作製することができる。
【００３８】
すなわち、この突出形状部２１は、図５に示すように、接地短絡端子１１０の端子カバー１１７から離脱する方向に、言い換えると、円筒部１１の底面部１２に接近する方向に移動する密栓部材１２１の円盤部材１２４の移動方向に一致するように、湾曲形状部２３が湾曲して傾斜する形状に形成されており、円筒部１１の内面１１ａの周方向に連続している。この構成により、密栓部材１２１が端子カバー１１７から離脱方向に移動する際には、円盤部材１２４の外縁により湾曲形状部２３がシール部２２側から撓まされる一方、反対に、その密栓部材１２１が円筒部１１の底面部１２から離隔方向に移動する際には、円盤部材１２４の外縁に湾曲形状部２３の先端部２３ａが突き当たる。
【００３９】
このため、突出形状部２１は、密栓部材１２１が接地短絡端子１１０の端子カバー１１７から離脱する方向に移動する際には、円盤部材１２４の外縁の移動を妨げることはなく、反対に、その密栓部材１２１が円筒部１１の底面部１２から離隔方向に移動する際には、円盤部材１２４の外縁に湾曲形状部２３の先端部２３ａを突き当ててその移動を制限する。このとき、突出形状部２１の湾曲形状部２３は、容易に撓ませることのできる弾性材料により作製されているが、円筒部１１の内面１１ａの周方向に延在するように連続していることから、一体となって一緒に撓ませるには所定以上の負荷が必要である。したがって、例えば、密栓部材１２１は、円筒部１１の開口側が下向きにされたとしても内部に収装されている円盤部材１２４の外縁に突出形状部２１の湾曲形状部２３の先端部２３ａを突き当てた状態で保持される。すなわち、この突出形状部２１が制限手段を構成している。
【００４０】
また、この突出形状部２１は、円筒部１１内に接地短絡端子１１０の端子カバー１１７を内部に差し込んだときに、密栓部材１２１の六角ネジ部１２５が絶縁操作棒１５０先端の着脱ソケット１８０のソケット形状部１８２ａ内に螺合回転可能な程度に差し込まれるのと同時に、その六角ネジ部１２５がソケット形状部１８２ａ内でシール部２２の幅程度で浮いた状態になる位置、言い換えると、さらに差し込むことのできる位置で、その密栓部材１２１の円盤部材１２４に接触するように配置されている。
【００４１】
ところで、先端取付具１０は、絶縁操作棒１５０の先端に着脱ソケット１８０と共に取り付けられて、密栓部材１２１の円盤部材１２４が突出形状部２１に接触する位置まで接地短絡端子１１０の端子カバー１１７を円筒部１１内に差し込むと、この円筒部１１は、内面１１ａと端子カバー１１７の外形との間に大きな隙間のない収装状態にすることができる。
【００４２】
このことから、先端取付具１０は、絶縁操作棒１５０の着脱ソケット１８０の保持部１８２のソケット形状部１８２ａ内に密栓部材１２１の六角ネジ部１２５を位置合わせすることなく相対回転不能に差し込むことができ、そのまま回転させて外すことができる。
【００４３】
また、このときには、密栓部材１２１は、接地短絡端子１１０の雌ネジ端子部１１３から離脱方向に回転して移動することから、六角ネジ部１２５が着脱ソケット１８０のソケット形状部１８２ａ内への差込方向に移動する。また、同時に、密栓部材１２１の円盤部材１２４は、先端取付具１０の円筒部１１内を底面部１２に接近する方向に移動してその外縁で突出形状部２１の湾曲形状部２３を撓ませて乗り越える。そして、この先端取付具１０は、円筒部１１が透明であることから内部の密栓部材１２１の移動を視認することができ、円盤部材１２４が突出形状部２１を乗り越えて脱落を制限する状態になっていることを確認することができる。この結果、先端取付具１０は、絶縁操作棒１５０を逆向きにしたとしても、その円筒部１１内に密栓部材１２１を収装する状態に維持することができ、その密栓部材１２１を落下させてしまうことがない。
【００４４】
この後に、絶縁操作棒１５０を操作して先端取付具１０の円筒部１１内に接地短絡端子１１０の端子カバー１１７を差し込むと、収装保持する密栓部材１２１の雄ネジ端子部１２２を位置合わせすることなくその接地短絡端子１１０の雌ネジ端子部１１３にそのまま螺合させることができる。
【００４５】
また、このときには、密栓部材１２１は、接地短絡端子１１０の雌ネジ端子部１１３に接近する方向に回転して移動することから、円盤部材１２４は先端取付具１０の円筒部１１内を底面部１２から離隔する方向に移動してその外縁で突出形状部２１の湾曲形状部２３を弾性変形させて乗り越える。この結果、先端取付具１０の円筒部１１内の密栓部材１２１を接地短絡端子１１０に取り付けて端子カバー１１７を円盤部材１２４により閉塞することができる。
【００４６】
このように本実施形態においては、絶縁操作棒１５０先端の先端取付具１０の円筒部１１内に収装する密栓部材１２１を視認しつつ、細心の注意を払うことなく、電線路１００の接地短絡作業を容易に行うことができる。したがって、電線路１００の接地短絡作業を容易化するとともに安全性を向上させることができる。
【００４７】
ここで、本実施形態の他の態様としては、図示することは省略するが、突出形状部２１は、必ずしも円筒部１１内で一周させる必要はなく、湾曲形状部２３の形状をある程度の強度で維持できる長さに作製してもよい。また、湾曲形状部２３の形状に限るものではなく、内面１１ａに対して鉛直方向に突出する形状に形成してもよいが、移動方向に応じてその移動を制限する負荷に差を付けることができることから、本実施形態のように形成するのが好ましい。また、突起状に突出する部材を周方向の複数箇所に連続するように配列してもよいが、隣接する部分同士でその形状を維持することができることから、本実施形態のように形成するのが好ましい。
【００４８】
なお、密栓部材１２１の落下を防止するには、紐などを用いて接地短絡端子１１０本体側に連結するなど改造することも考えられるが、密栓部材１２１を改造するとともに交換することが必要になってコスト高になるとともに、その交換作業時には停電させる必要が生じて現実的でない。また、紐などで吊り下げられた状態の密栓部材１２１を絶縁操作棒１５０の先端に再度螺合回転可能に連結するのも困難である。このことから、本実施形態を採用するのがこれらの点からも有利である。
【産業上の利用可能性】
【００４９】
これまで本発明の一実施形態について説明したが、本発明は上述の実施形態に限定されず、その技術的思想の範囲内において種々異なる形態にて実施されてよいことは言うまでもない。
【図面の簡単な説明】
【００５０】
【図１】本発明に係る絶縁操作棒の先端構造を実現する先端取付具の一実施形態を示す図であり、（ａ）はその全体構成を示す縦断面図、（ｂ）はその上面図である。
【図２】その要部構成を示す縦断面図である。
【図３】その絶縁操作棒の構成を示す図であり、（ａ）はその伸長時（使用時）の状態を示す平面図、（ｂ）はその縮小時（保管時）の状態を示す平面図である。
【図４】その絶縁操作棒先端の着脱ソケットを示す図であり、（ａ）はその全体構成を示す縦断面図、（ｂ）はその上面図である。
【図５】その先端取付具の使用時の状態を示す一部縦断面図である。
【図６】その先端取付具の利用対象である接地短絡端子の構成を示す一部縦断面図である。
【図７】その接地短絡端子の構成を示す図であり、（ａ）はその端子カバーを示す平面図、（ｂ）はその接続端子金具を示す一部断面平面図、（ｃ）はその密栓部材を示す平面図である。
【図８】その接地短絡端子を接地短絡する接地線を示す平面図である。
【符号の説明】
【００５１】
１０……先端取付具      １１……円筒部      １３……取付部      １４……突出部材      １５……スプリング      ２１……突出形状部      ２３……湾曲形状部      １００……電線路      １１０……接地短絡端子      １１１……接続端子金具      １１３……雌ネジ端子部      １１５……外装カバー      １１７……端子カバー      １２１……密栓部材      １２２……雄ネジ端子部      １２３……棒状部材      １２４……円盤部材      １２５……六角ネジ部      １５０……絶縁操作棒      １８０……着脱ソケット      １８１……取付部      １８２……保持部      １８２ａ……ソケット形状部      １８２ｂ……係合穴      ２００……接地線      ２１０……分岐接地線      ２１１……雄ネジ端子部      ２１１ａ……六角ネジ部
【図１】
2010119247.tif 000003
【図２】
2010119247.tif 000004
【図３】
2010119247.tif 000005
【図４】
2010119247.tif 000006
【図５】
2010119247.tif 000007
【図６】
2010119247.tif 000008
【図７】
2010119247.tif 000009
【図８】
2010119247.tif 000010